(57)【要約】【課題】マスタロール及び製版装置において、マスタ上に被検知部を設けなくともマスタエンドを検知することができるようにする。【解決手段】マスタロール１０は、感熱穿孔が施され孔版印刷に用いられるロール状のマスタＭを備えるマスタロール１０であって、マスタＭは、終端側にマスタＭの幅方向Ｗの一部が欠落した欠落部分Ｍａを有する。【選択図】図１
2018183905.tif 000002
【特許請求の範囲】
【請求項１】
感熱穿孔が施され孔版印刷に用いられるロール状のマスタを備えるマスタロールであって、
前記マスタは、終端側に前記マスタの幅方向の一部が欠落した欠落部分を有する、
ことを特徴とするマスタロール。
【請求項２】
前記マスタが巻き付けられる芯部を更に備え、
前記芯部は、前記マスタよりも光を反射しない被検知部が設けられているか、又は、前記マスタよりも光を反射しない部材である、
ことを特徴とする請求項１記載のマスタロール。
【請求項３】
孔版印刷に用いられるマスタに感熱穿孔を施すサーマルヘッドと、
ロール状の前記マスタのうち、終端側に位置し前記マスタの幅方向の一部が欠落した欠落部分において、マスタエンドを検知するセンサと、
を備えることを特徴とする製版装置。
【発明の詳細な説明】
【技術分野】
【０００１】
本発明は、感熱穿孔が施されるマスタがロール状に巻かれているマスタロールと、マスタに感熱穿孔を施す製版装置と、に関する。
【背景技術】
【０００２】
従来、孔版印刷装置の製版装置において、サーマルヘッドは、マスタロールからプラテンローラによって引き出されたマスタに対し、プラテンローラとの間で挟持した状態で感熱穿孔を施す。感熱穿孔が施されたマスタは、カッタにより１版ずつ切り出され、製版装置から孔版印刷装置の版胴に搬送される。
【０００３】
上記のような製版装置を備える孔版印刷装置において、光を遮断する被検知部がマスタロールの終端に貼り付けられ、光透過型センサが被検知部を検知することによってマスタエンドを検知する孔版印刷装置が提案されている（例えば、特許文献１参照）。
【先行技術文献】
【特許文献】
【０００４】
【特許文献１】特開２００３−１３６８２４号公報
【発明の概要】
【発明が解決しようとする課題】
【０００５】
しかしながら、マスタ上の被検知部を検知する構成では、被検知部が、マスタに設けることが可能なものに制限されたり、或いは、マスタ上の被検知部の有無のみでマスタエンドを検知しなければならなかったりするなど、マスタエンドの検知の自由度が高くない。
【０００６】
本発明の目的は、マスタ上に被検知部を設けなくともマスタエンドを検知することができるマスタロール及び製版装置を提供することある。
【課題を解決するための手段】
【０００７】
１つの態様では、マスタロールは、感熱穿孔が施され孔版印刷に用いられるロール状のマスタを備えるマスタロールであって、前記マスタは、終端側に前記マスタの幅方向の一部が欠落した欠落部分を有する。
【発明の効果】
【０００８】
前記態様によれば、マスタ上に被検知部を設けなくともマスタエンドを検知することができる。
【図面の簡単な説明】
【０００９】
【図１】一実施の形態に係る製版装置を模式的に示す斜視図である。
【図２】一実施の形態に係るマスタロールを示す平面図である。
【図３】一実施の形態に係る製版装置の制御ブロック図である。
【図４】一実施の形態におけるマスタエンドの検知を説明するための説明図（その１）である。
【図５】一実施の形態におけるマスタエンドの検知を説明するための説明図（その２）である。
【図６】一実施の形態におけるマスタエンドの検知を説明するための説明図（その２）である。
【発明を実施するための形態】
【００１０】
以下、本発明の実施の形態に係るマスタロール及び製版装置について、図面を参照しながら説明する。
【００１１】
図１は、一実施の形態に係る製版装置１を模式的に示す斜視図である。
図２は、一実施の形態に係るマスタロール１０を示す平面図である。
図３は、製版装置１の制御ブロック図である。
【００１２】
図１に示す製版装置１に配置されるマスタロール１０は、孔版印刷に用いられるロール状のマスタＭを備える。また、マスタロール１０は、マスタＭが巻き付けられる芯部１１と、この芯部１１に設けられた被検知部１２と、を備えるとよい。
【００１３】
マスタＭは、巻かれた状態の中心側である終端Ｍｂ（図２参照）側にマスタＭの幅方向Ｗの一部が欠落した欠落部分Ｍａ（図２では点線で図示）を有する。なお、欠落部分Ｍａが設けられる位置は、製版装置１においてマスタＭの残量が無くなったこと或いは少なくなったことをユーザに報知する所望のタイミングに対応するように、反射センサ３０の検知位置との位置関係に基づき適宜設定されればよい。そのため、欠落部分Ｍａが設けられる位置は、マスタＭの搬送方向Ｔにおける中心よりも終端Ｍｂ側であればよい。ここで、マスタＭの幅方向Ｗは、マスタＭの厚み方向とマスタＭの搬送方向Ｔとに直交する方向である。
【００１４】
マスタＭは、例えば、熱可塑性樹脂フィルムと和紙とを有し、光が反射する反射面となる熱可塑性樹脂フィルム側の面が後述する反射センサ３０側に向くように、芯部１１に巻き付けられている。
【００１５】
欠落部分Ｍａは、マスタＭの搬送方向ＴにおいてマスタＭの終端Ｍｂに近づくほど欠落部分Ｍａの幅（マスタＭの幅方向Ｗの幅）が漸増するように、マスタＭの幅方向Ｗの一端に平面視三角形状に切り欠かれて形成されている。
【００１６】
欠落部分Ｍａとしては、図１及び図２に示すように幅方向Ｗの一端に設けられた切り欠きが一例として挙げられるが、幅方向Ｗの中央に設けられた孔であってもよい。また、マスタＭの幅方向Ｗにおける欠落部分Ｍａの位置は、マスタＭの搬送過程で欠落部分Ｍａが反射センサ３０による検知位置を通過可能となるように、マスタＭの幅方向Ｗにおける検知位置を含む位置である。
【００１７】
なお、上述のように欠落部分Ｍａの幅がマスタＭの終端Ｍｂに近づくほど漸増することで、欠落部分Ｍａの幅がマスタＭの終端Ｍｂに近づくほど漸減する場合や、欠落部分ＭａがマスタＭの終端Ｍｂに達しない切り欠きや孔である場合と比較して、サーマルヘッド２０とプラテンローラ５０との挟持位置やカッタ６０による切断位置で欠落部分Ｍａの引っ掛かりが生じるのを防ぐことができる。したがって、マスタＭの搬送不良を防ぐことができる。
【００１８】
芯部１１には、マスタＭよりも光を反射しない被検知部１２が設けられている。例えば、被検知部１２は、芯部１１に貼り付けられたシールである。なお、芯部１１自体がマスタＭよりも光を反射しない部材であってもよい。また、例えば、芯部１１の外周面の一部に黒色等の光を反射しない色の塗装が行われることにより、この塗装部分が被検知部１２として機能してもよい。
【００１９】
芯部１１には、マスタＭの終端Ｍｂが固定されている。芯部１１の形状は、円筒形状、円柱形状などの任意の形状である。芯部１１は、製版装置１の図示しない支持部によって回転可能に支持されており、マスタＭがマスタロール１０から引き出される際にマスタＭとともに回転する。なお、マスタＭが直接的に上記の支持部によって回転可能に支持されてもよいため、芯部１１を省略することが可能ではあるが、反射センサ３０によってマスタエンドを検知するために、芯部１１が配置されているとよい。
【００２０】
図１に示すように、製版装置１は、サーマルヘッド２０と、センサの一例である反射センサ３０と、を備える。また、図３に示すように、製版装置１は、制御部４１、ＲＯＭ（Read only memory）４２、ＲＡＭ（Random Access Memory）４３、ヘッド駆動回路４４、モータ駆動回路４５、プラテンローラ駆動モータ４６、モータ駆動回路４７、カッタ駆動モータ４８、プラテンローラ５０、及びカッタ６０を備えるとよい。
【００２１】
サーマルヘッド２０は、プラテンローラ５０との間でマスタＭに感熱穿孔を施す。この感熱穿孔は、例えば、図３に示す制御部４１の制御に基づくヘッド駆動回路４４の駆動制御によって、サーマルヘッド２０の主走査方向（マスタＭの幅方向Ｗ）に配列された複数の発熱素子が選択的に発熱することで行われる。
【００２２】
反射センサ３０は、被検知部１２に向けて光を照射し、その反射光に基づき、マスタエンドを検知する。例えば、図４に示すように、芯部１１に十分にマスタＭが巻き付けられていることで図１及び図２に示す欠落部分Ｍａが露出しない状態では、反射センサ３０から照射される光は、マスタＭにおいて反射し、反射センサ３０に入射する。なお、図４では、被検知部１２がマスタＭで覆われているため、被検知部１２を破線（かくれ線）で表す。
【００２３】
一方、図５の例では、マスタＭの残量が少なくなり、欠落部分Ｍａから被検知部１２が露出すると、反射センサ３０から照射される光は、被検知部１２において反射せず、反射センサ３０に入射しなくなる。或いは、図６の例のように、芯部１１自体がマスタＭよりも光を反射しない部材である場合も、図５の例と同様に、反射センサ３０から照射される光は、芯部１１において反射せず、反射センサ３０に入射しなくなる。
【００２４】
このように、反射センサ３０は、反射光の光量の差で、マスタエンドを検知する。なお、反射センサ３０は、芯部１１ではなく、芯部１１とは異なる位置に向けて光を照射し、欠落部分Ｍａにおいて光が反射しないか、或いは、欠落部分Ｍａ以外のマスタＭにおいて光が反射するか、の差異（反射光の光量差）によってマスタエンドを検知してもよい。
【００２５】
また、上述の反射センサ３０に代えて、透過センサなどの他のセンサが配置されていてもよい。例えば、透過センサは、芯部１１とは異なる位置に向けて光を照射し、欠落部分Ｍａにおいて光が透過するか、或いは、欠落部分Ｍａ以外のマスタＭにおいて光が透過しないか、の差異（受光の有無）を受光部により検知することによってマスタエンドを検知する。
【００２６】
図３に示す制御部４１は、例えば、製版装置１全体の動作を制御する演算処理装置として機能するプロセッサ（例えばＣＰＵ： Central Processing Unit）を有する。制御部４１は、製版装置１用の制御プログラムを読み出して実行する。
【００２７】
制御部４１は、反射センサ３０から、マスタエンドを検知したことの出力信号を取得した後、例えば、プラテンローラ５０によるマスタＭの搬送を継続させ、可能であればカッタ６０にマスタＭから最後の１版分を切り出させる。なお、切り出された１版分のマスタＭは、孔版印刷装置の版胴に搬送される。
【００２８】
また、制御部４１は、報知部に、マスタＭの残量が無くなったこと或いは少なくなったことをユーザへ報知させる。この報知部は、例えば、製版装置１を備える孔版印刷装置に配置され表示内容によってユーザへの報知を行う表示部であってもよいし、或いは、音声出力によってユーザへの報知を行う音声出力部であってもよく、特に制限されない。
【００２９】
ＲＯＭ４２は、例えば、所定の基本制御プログラムが予め記録されている読み出し専用半導体メモリである。なお、ＲＯＭ４２として、フラッシュメモリ等の、電力供給の停止に対して記憶データが不揮発性であるメモリを使用してもよい。
【００３０】
ＲＡＭ４３は、例えば、制御部４１が各種の制御プログラムを実行する際に必要に応じて作業用記憶領域として使用される随時書き込み読み出し可能な半導体メモリである。
【００３１】
ヘッド駆動回路４４は、制御部４１から出力される印刷データに基づき、サーマルヘッド２０の複数の発熱素子への駆動制御（通電制御）を行うことにより、複数の発熱素子を選択的に発熱させる。
【００３２】
２つのモータ駆動回路４５，４７のうち一方のモータ駆動回路４５は、制御部４１から出力される制御信号によって、プラテンローラ５０を駆動するプラテンローラ駆動モータ４６の駆動制御を行う。
【００３３】
また、他方のモータ駆動回路４７は、制御部４１から出力される制御信号によって、カッタ６０を駆動するカッタ駆動モータ４８の駆動制御を行う。
【００３４】
プラテンローラ５０は、サーマルヘッド２０との間で挟持するマスタＭを、マスタロール１０から引き出しながら搬送する駆動ローラである。
【００３５】
カッタ６０は、サーマルヘッド２０によって感熱穿孔が施されたマスタＭを、１版分ずつ切り出すように例えば図１に一点鎖線で示すカット位置Ｃにおいて切断する。
【００３６】
以上説明した本実施の形態では、マスタロール１０は、感熱穿孔が施され孔版印刷に用いられるロール状のマスタＭを備え、このマスタＭは、終端Ｍｂ側にマスタＭの幅方向Ｗの一部が欠落した欠落部分Ｍａを有する。また、製版装置１は、孔版印刷に用いられるマスタＭに感熱穿孔を施すサーマルヘッド２０と、ロール状のマスタＭのうち、終端Ｍｂ側に位置しマスタＭの幅方向Ｗの一部が欠落した欠落部分Ｍａにおいて、マスタエンドを検知する反射センサ３０（センサの一例）と、を備える。そのため、マスタＭ上に被検知部を設けなくともマスタエンドを検知することができる。これにより、マスタＭ上に被検知部が設けられている場合と比較して、カッタ６０がカット位置Ｃにおいて被検知部を切断できずにマスタＭの搬送不良が発生するのを防止することができる。また、マスタＭ上に被検知部が設けられている場合と比較して、マスタＭにシワが生じるのを防ぐことができる。また、欠落部分Ｍａは、マスタＭの幅方向Ｗの一部が欠落した部分にすぎないため、マスタＭの搬送時のテンションを維持することができる。これにより、製版（感熱穿孔）への影響なくマスタエンドを検知することができる。また、欠落部分Ｍａで光が透過するため、芯部１１に設けられた被検知部１２や芯部１１自体とマスタＭとの差異によってマスタエンドを検知することができたり、或いは反射センサ３０に代えて透過センサを用いて欠落部分Ｍａで光が透過するか否かによってマスタエンドを検知することができたりするなど、マスタエンドの検知の自由度を高めることができる。
【００３７】
また、本実施の形態では、マスタロール１０は、マスタＭが巻き付けられる芯部１１を更に備え、芯部１１は、マスタＭよりも光を反射しない被検知部１２が設けられているか、又は、マスタＭよりも光を反射しない部材である。これにより、芯部１１に設けられた被検知部１２や芯部１１自体とマスタＭとの差異（反射光の光量差）に基づき反射センサ３０を用いてマスタエンドを検知することができるため、確実にマスタエンドを検知することができる。更には、芯部１１においてマスタエンドを検知することができるため、芯部１１とは異なる位置でマスタエンドを検知する場合と比較して、より速くマスタエンドを検知することができる。
【００３８】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせてもよい。このような、発明の趣旨を逸脱しない範囲内において種々の変形や応用が可能であることはもちろんである。以下に、本願の出願当初の特許請求の範囲に記載された発明を付記する。
【００３９】
［付記１］
感熱穿孔が施され孔版印刷に用いられるロール状のマスタを備えるマスタロールであって、
前記マスタは、終端側に前記マスタの幅方向の一部が欠落した欠落部分を有する、
ことを特徴とするマスタロール。
【００４０】
［付記２］
前記マスタが巻き付けられる芯部を更に備え、
前記芯部は、前記マスタよりも光を反射しない被検知部が設けられているか、又は、前記マスタよりも光を反射しない部材である、
ことを特徴とする付記１記載のマスタロール。
【００４１】
［付記３］
孔版印刷に用いられるマスタに感熱穿孔を施すサーマルヘッドと、
ロール状の前記マスタのうち、終端側に位置し前記マスタの幅方向の一部が欠落した欠落部分において、マスタエンドを検知するセンサと、
を備えることを特徴とする製版装置。
【符号の説明】
【００４２】
１      製版装置
１０      マスタロール
１１      芯部
１２      被検知部
２０      サーマルヘッド
３０      反射センサ
４１      制御部
４２      ＲＯＭ
４３      ＲＡＭ
４４      ヘッド駆動回路
４５      モータ駆動回路
４６      プラテンローラ駆動モータ
４７      モータ駆動回路
４８      カッタ駆動モータ
５０      プラテンローラ
６０      カッタ
Ｃ      カット位置
Ｍ      マスタ
Ｍａ      欠落部分
Ｍｂ      終端
Ｔ      マスタＭの搬送方向
Ｗ      マスタＭの幅方向
【図１】
2018183905.tif 000003
【図２】
2018183905.tif 000004
【図３】
2018183905.tif 000005
【図４】
2018183905.tif 000006
【図５】
2018183905.tif 000007
【図６】
2018183905.tif 000008